(57)【要約】【課題】表示パネルごとの特性ばらつきを抑制しながら、表示パネルのＤ−Ｖ特性を動的に制御する。【解決手段】表示パネルは、Ｒ画素、Ｇ画素、Ｂ画素を含む複数の画素が配列されたパネル表示部１０を有する。記憶部２４は、予め測定された表示パネルのＲＧＢ各色のＶ−Ｌ特性データを記憶している。Ｄ−Ｌ算出部２６は、レジスタ２２に記憶される表示設定値に基づいて、表示パネルのＲＧＢ各色のＤ−Ｌ特性データを算出する。Ｄ−Ｖ算出部２８は、記憶部２４に記憶されるＶ−Ｌ特性データと、Ｄ−Ｌ算出部２６により算出されるＤ−Ｌ特性データと、に基づいて、表示パネルのＲＧＢ各色のＤ−Ｖ特性データを算出する。ＤＡＣ３０は、Ｄ−Ｖ算出部２８により算出されるＤ−Ｖ特性データに基づいて、タイミングコントローラ２０から入力される映像信号に応じた駆動電圧を生成し、パネル表示部１０に配列された複数の画素のそれぞれに印加する。【選択図】図２
2012093590.tif 000002
【特許請求の範囲】
【請求項１】
赤色（Ｒ）画素、緑色（Ｇ）画素、青色（Ｂ）画素を含む複数の画素が配列された表示領域を有する表示パネルと、
予め測定された前記表示パネルの駆動電圧に対する輝度の特性を示すＶ−Ｌ特性データを記憶する測定値記憶手段と、
前記測定値記憶手段に記憶されるＶ−Ｌ特性データに基づいて、ＲＧＢ各色のＶ−Ｌ特性データを取得するＶ−Ｌ取得手段と、
前記表示パネルの表示属性を設定するための表示設定値を記憶する設定値記憶手段と、
前記設定値記憶手段に記憶される表示設定値に基づいて、前記表示パネルの階調に対する輝度の特性を示すＤ−Ｌ特性データをＲＧＢ各色について算出するＤ−Ｌ算出手段と、
前記Ｖ−Ｌ取得手段により取得されるＲＧＢ各色のＶ−Ｌ特性データと、前記Ｄ−Ｌ算出手段により算出されるＲＧＢ各色のＤ−Ｌ特性データと、に基づいて、前記表示パネルの階調に対する駆動電圧の特性を示すＤ−Ｖ特性データをＲＧＢ各色について算出するＤ−Ｖ算出手段と、
前記Ｄ−Ｖ算出手段により算出されるＲＧＢ各色のＤ−Ｖ特性データに基づいて、外部から入力される映像信号に応じた駆動電圧を生成し、前記複数の画素のそれぞれに印加する駆動電圧生成手段と、
を含むことを特徴とする画像表示装置。
【請求項２】
請求項１に記載の画像表示装置において、
前記測定値記憶手段は、予め測定された前記表示パネルの駆動電圧に対するＲＧＢ各色の輝度の特性を示すデータを前記Ｖ−Ｌ特性データとして記憶し、
前記Ｖ−Ｌ取得手段は、前記測定値記憶手段に記憶されるＶ−Ｌ特性データを前記ＲＧＢ各色のＶ−Ｌ特性データとして取得する、
ことを特徴とする画像表示装置。
【請求項３】
請求項１に記載の画像表示装置において、
前記表示パネルの白色に対するＲＧＢ各色の輝度の比を示すＲＧＢ輝度比を取得する輝度比取得手段をさらに含み、
前記測定値記憶手段は、予め測定された前記表示パネルの駆動電圧に対する白色の輝度の特性を示すデータを前記Ｖ−Ｌ特性データとして記憶し、
前記Ｖ−Ｌ取得手段は、前記測定値記憶手段に記憶される前記表示パネルの駆動電圧に対する白色の輝度の特性を示すデータと、前記輝度比取得手段により取得されるＲＧＢ輝度比と、に基づいて、前記ＲＧＢ各色のＶ−Ｌ特性データを算出する、
ことを特徴とする画像表示装置。
【請求項４】
請求項１に記載の画像表示装置において、
前記表示パネルにおけるＲＧＢ各色の輝度劣化量を算出する劣化量算出手段をさらに含み、
前記Ｖ−Ｌ取得手段は、前記劣化量算出手段により算出されるＲＧＢ各色の輝度劣化量に基づいて、前記ＲＧＢ各色のＶ−Ｌ特性データを補正する、
ことを特徴とする画像表示装置。
【請求項５】
請求項４に記載の画像表示装置において、
前記劣化量算出手段は、映像信号と前記表示パネルの駆動時間との積に基づいて、前記ＲＧＢ各色の輝度劣化量を算出する、
ことを特徴とする画像表示装置。
【請求項６】
請求項５に記載の画像表示装置において、
前記表示パネルの駆動時間は、前記表示パネルの点灯時間または当該画像表示装置の電源オン時間である、
ことを特徴とする画像表示装置。
【請求項７】
請求項１に記載の画像表示装置において、
前記表示パネルの周囲温度を検出する温度検出手段をさらに含み、
前記Ｖ−Ｌ取得手段は、前記温度検出手段により検出される周囲温度に基づいて、前記ＲＧＢ各色のＶ−Ｌ特性データを補正する、
ことを特徴とする画像表示装置。
【請求項８】
請求項１に記載の画像表示装置において、
前記Ｖ−Ｌ取得手段は、前記表示パネルのＶ−Ｌ特性が測定された時の発光期間と、前記表示パネルの現在の発光期間と、に基づいて、前記ＲＧＢ各色のＶ−Ｌ特性データを補正する、
ことを特徴とする画像表示装置。
【請求項９】
請求項１に記載の画像表示装置において、
前記表示パネルの白色に対するＲＧＢ各色の輝度の比を示すＲＧＢ輝度比を取得する輝度比取得手段をさらに含み、
前記設定値記憶手段は、少なくともガンマ値と最大輝度と最小輝度とを前記表示設定値として記憶し、
前記Ｄ−Ｌ算出手段は、前記設定値記憶手段に記憶されるガンマ値と最大輝度と最小輝度とに基づいて算出される前記表示パネルの階調に対する白色の輝度の特性を示すデータと、前記輝度比取得手段により取得されるＲＧＢ輝度比と、に基づいて、前記ＲＧＢ各色のＤ−Ｌ特性データを算出する、
ことを特徴とする画像表示装置。
【請求項１０】
請求項９に記載の画像表示装置において、
前記設定値記憶手段は、白色の色温度とＲＧＢ各色の色度とをさらに記憶し、
前記輝度比取得手段は、前記設定値記憶手段に記憶される白色の色温度とＲＧＢ各色の色度とに基づいて、前記ＲＧＢ輝度比を算出する、
ことを特徴とする画像表示装置。
【請求項１１】
請求項１に記載の画像表示装置において、
前記Ｄ−Ｌ算出手段は、前記設定値記憶手段に記憶される表示設定値のいずれかが変更されたタイミングで、前記ＲＧＢ各色のＤ−Ｌ特性データを再算出する、
ことを特徴とする画像表示装置。
【請求項１２】
請求項１に記載の画像表示装置において、
前記駆動電圧生成手段は、設定レジスタの設定内容に従って動作するＤ／Ａコンバータであり、
前記Ｄ−Ｖ算出手段は、前記算出されたＲＧＢ各色のＤ−Ｖ特性データを前記設定レジスタに設定する、
ことを特徴とする画像表示装置。
【請求項１３】
請求項１に記載の画像表示装置において、
前記複数の画素のそれぞれは、有機発光ダイオード素子を含む、
ことを特徴とする画像表示装置。
【請求項１４】
赤色（Ｒ）画素、緑色（Ｇ）画素、青色（Ｂ）画素を含む複数の画素が配列された表示領域を有する表示パネルを含む画像表示装置の制御方法であって、
予め測定された前記表示パネルの駆動電圧に対する輝度の特性を示すＶ−Ｌ特性データを測定値記憶手段に記憶させるステップと、
前記測定値記憶手段に記憶されるＶ−Ｌ特性データに基づいて、ＲＧＢ各色のＶ−Ｌ特性データを取得するステップと、
前記表示パネルの表示属性を設定するための表示設定値を設定値記憶手段に記憶させるステップと、
前記設定値記憶手段に記憶される表示設定値に基づいて、前記表示パネルの階調に対する輝度の特性を示すＤ−Ｌ特性データをＲＧＢ各色について算出するステップと、
前記ＲＧＢ各色のＶ−Ｌ特性データと、前記ＲＧＢ各色のＤ−Ｌ特性データと、に基づいて、前記表示パネルの階調に対する駆動電圧の特性を示すＤ−Ｖ特性データをＲＧＢ各色について算出するステップと、
前記ＲＧＢ各色のＤ−Ｖ特性データに基づいて、外部から入力される映像信号に応じた駆動電圧を生成し、前記複数の画素のそれぞれに印加するステップと、
を含むことを特徴とする画像表示装置の制御方法。
【発明の詳細な説明】
【技術分野】
【０００１】
本発明は、画像表示装置およびその制御方法に関する。
【背景技術】
【０００２】
従来、ＯＬＥＤ（Organic Light-Emitting Diode：有機発光ダイオード）素子やＴＦＴ（Thin Film Transistor：薄膜トランジスタ）を含む表示パネルを備えた画像表示装置が知られている。この種の画像表示装置では、ＯＬＥＤ素子の発光特性やＴＦＴのＩ−Ｖ特性（駆動電流−駆動電圧特性）のばらつきを抑えるために、表示パネルごとにＷＢ（White Balance：ホワイトバランス）やガンマ値の調整することが望ましい。
【０００３】
たとえば、画像表示装置の製造時または出荷前に、外部から入力される映像信号（階調信号）Ｄに応じた駆動電圧Ｖを出力するためのＤＡＣ（Digital/Analog Converter：Ｄ／Ａコンバータ）の動作特性を表示パネルごとに調整しておく方法がある。具体的には、表示パネルごとに映像信号Ｄに対する駆動電圧Ｖを測定し、それらの関係を示すＤ−Ｖ特性データを初期パラメータとして各表示パネルのＤＡＣ設定レジスタに予め記憶させておく。こうすれば、各表示パネルの駆動電圧ＶがＤＡＣ設定レジスタに記憶されたＤ−Ｖ特性データに基づいて決定されるようになり、表示パネルの特性ばらつきが抑制される。
【０００４】
なお、特許文献１には、表示装置の動作時間の監視をすることなく、経時変化によるホワイトバランスの崩れを防止することができる有機ＥＬ駆動回路および有機ＥＬ表示装置が開示されている。
【先行技術文献】
【特許文献】
【０００５】
【特許文献１】特許第４０４６６１７号明細書
【発明の概要】
【発明が解決しようとする課題】
【０００６】
しかしながら、上記方法で調整された画像表示装置では、出荷前にＤＡＣ設定レジスタに設定されたＤ−Ｖ特性データをそのまま使用するため、ユーザによる表示設定の変更（ガンマ値、最大輝度、最小輝度など）や使用環境の変化などに応じて表示パネルのＤ−Ｖ特性を動的に制御することができない。
【０００７】
本発明は、上記課題に鑑みてなされたものであり、表示パネルごとの特性ばらつきを抑制しながら、表示パネルのＤ−Ｖ特性を動的に制御することができる画像表示装置およびその制御方法を提供することを目的とする。
【課題を解決するための手段】
【０００８】
上記課題を解決するために、本発明に係る画像表示装置は、赤色（Ｒ）画素、緑色（Ｇ）画素、青色（Ｂ）画素を含む複数の画素が配列された表示領域を有する表示パネルと、予め測定された前記表示パネルの駆動電圧に対する輝度の特性を示すＶ−Ｌ特性データを記憶する測定値記憶手段と、前記測定値記憶手段に記憶されるＶ−Ｌ特性データに基づいて、ＲＧＢ各色のＶ−Ｌ特性データを取得するＶ−Ｌ取得手段と、前記表示パネルの表示属性を設定するための表示設定値を記憶する設定値記憶手段と、前記設定値記憶手段に記憶される表示設定値に基づいて、前記表示パネルの階調に対する輝度の特性を示すＤ−Ｌ特性データをＲＧＢ各色について算出するＤ−Ｌ算出手段と、前記Ｖ−Ｌ取得手段により取得されるＲＧＢ各色のＶ−Ｌ特性データと、前記Ｄ−Ｌ算出手段により算出されるＲＧＢ各色のＤ−Ｌ特性データと、に基づいて、前記表示パネルの階調に対する駆動電圧の特性を示すＤ−Ｖ特性データをＲＧＢ各色について算出するＤ−Ｖ算出手段と、前記Ｄ−Ｖ算出手段により算出されるＲＧＢ各色のＤ−Ｖ特性データに基づいて、外部から入力される映像信号に応じた駆動電圧を生成し、前記複数の画素のそれぞれに印加する駆動電圧生成手段と、を含むことを特徴とする。
【０００９】
本発明では、装置ごとに表示パネルのＶ−Ｌ特性データを予め測定し記憶させている。そして、このＶ−Ｌ特性データと、表示設定値に基づいて算出されるＲＧＢ各色のＤ−Ｌ特性データと、に基づいて、ＲＧＢ各色のＤ−Ｖ特性データを算出する。このため、本発明によれば、表示パネルごとの特性ばらつきを抑制しながら、表示設定値の変更に応じて表示パネルのＤ−Ｖ特性を動的に制御することができる。
【００１０】
また、本発明の一態様では、前記測定値記憶手段は、予め測定された前記表示パネルの駆動電圧に対するＲＧＢ各色の輝度の特性を示すデータを前記Ｖ−Ｌ特性データとして記憶し、前記Ｖ−Ｌ取得手段は、前記測定値記憶手段に記憶されるＶ−Ｌ特性データを前記ＲＧＢ各色のＶ−Ｌ特性データとして取得してもよい。
【００１１】
また、本発明の一態様では、前記表示パネルの白色に対するＲＧＢ各色の輝度の比を示すＲＧＢ輝度比を取得する輝度比取得手段をさらに含み、前記測定値記憶手段は、予め測定された前記表示パネルの駆動電圧に対する白色の輝度の特性を示すデータを前記Ｖ−Ｌ特性データとして記憶し、前記Ｖ−Ｌ取得手段は、前記測定値記憶手段に記憶される前記表示パネルの駆動電圧に対する白色の輝度の特性を示すデータと、前記輝度比取得手段により取得されるＲＧＢ輝度比と、に基づいて、前記ＲＧＢ各色のＶ−Ｌ特性データを算出してもよい。
【００１２】
また、本発明の一態様では、前記表示パネルにおけるＲＧＢ各色の輝度劣化量を算出する劣化量算出手段をさらに含み、前記Ｖ−Ｌ取得手段は、前記劣化量算出手段により算出されるＲＧＢ各色の輝度劣化量に基づいて、前記ＲＧＢ各色のＶ−Ｌ特性データを補正してもよい。
【００１３】
この態様によれば、動的に制御される表示パネルのＤ−Ｖ特性に表示パネルの輝度劣化量を反映させることができる。
【００１４】
また、本発明の一態様では、前記劣化量算出手段は、映像信号と前記表示パネルの駆動時間との積に基づいて、前記ＲＧＢ各色の輝度劣化量を算出してもよい。
【００１５】
この態様では、前記表示パネルの駆動時間を、前記表示パネルの点灯時間または当該画像表示装置の電源オン時間としてもよい。
【００１６】
また、本発明の一態様では、前記表示パネルの周囲温度を検出する温度検出手段をさらに含み、前記Ｖ−Ｌ取得手段は、前記温度検出手段により検出される周囲温度に基づいて、前記ＲＧＢ各色のＶ−Ｌ特性データを補正してもよい。
【００１７】
この態様によれば、動的に制御される表示パネルのＤ−Ｖ特性に表示パネルの温度依存性を反映させることができる。
【００１８】
また、本発明の一態様では、前記Ｖ−Ｌ取得手段は、前記表示パネルのＶ−Ｌ特性が測定された時の発光期間と、前記表示パネルの現在の発光期間と、に基づいて、前記ＲＧＢ各色のＶ−Ｌ特性データを補正してもよい。
【００１９】
また、本発明の一態様では、前記表示パネルの白色に対するＲＧＢ各色の輝度の比を示すＲＧＢ輝度比を取得する輝度比取得手段をさらに含み、前記設定値記憶手段は、少なくともガンマ値と最大輝度と最小輝度とを前記表示設定値として記憶し、前記Ｄ−Ｌ算出手段は、前記設定値記憶手段に記憶されるガンマ値と最大輝度と最小輝度とに基づいて算出される前記表示パネルの階調に対する白色の輝度の特性を示すデータと、前記輝度比取得手段により取得されるＲＧＢ輝度比と、に基づいて、前記ＲＧＢ各色のＤ−Ｌ特性データを算出してもよい。
【００２０】
また、本発明の一態様では、前記設定値記憶手段は、白色の色温度とＲＧＢ各色の色度とをさらに記憶し、前記輝度比取得手段は、前記設定値記憶手段に記憶される白色の色温度とＲＧＢ各色の色度とに基づいて、前記ＲＧＢ輝度比を算出してもよい。
【００２１】
また、本発明の一態様では、前記Ｄ−Ｌ算出手段は、前記設定値記憶手段に記憶される表示設定値のいずれかが変更されたタイミングで、前記ＲＧＢ各色のＤ−Ｌ特性データを再算出してもよい。
【００２２】
また、本発明の一態様では、前記駆動電圧生成手段は、設定レジスタの設定内容に従って動作するＤ／Ａコンバータであり、前記Ｄ−Ｖ算出手段は、前記算出されたＲＧＢ各色のＤ−Ｖ特性データを前記設定レジスタに設定してもよい。
【００２３】
また、本発明の一態様では、前記複数の画素のそれぞれは、有機発光ダイオード素子を含んでもよい。
【００２４】
また、本発明に係る画像表示装置の制御方法は、赤色（Ｒ）画素、緑色（Ｇ）画素、青色（Ｂ）画素を含む複数の画素が配列された表示領域を有する表示パネルを含む画像表示装置の制御方法であって、予め測定された前記表示パネルの駆動電圧に対する輝度の特性を示すＶ−Ｌ特性データを測定値記憶手段に記憶させるステップと、前記測定値記憶手段に記憶されるＶ−Ｌ特性データに基づいて、ＲＧＢ各色のＶ−Ｌ特性データを取得するステップと、前記表示パネルの表示属性を設定するための表示設定値を設定値記憶手段に記憶させるステップと、前記設定値記憶手段に記憶される表示設定値に基づいて、前記表示パネルの階調に対する輝度の特性を示すＤ−Ｌ特性データをＲＧＢ各色について算出するステップと、前記ＲＧＢ各色のＶ−Ｌ特性データと、前記ＲＧＢ各色のＤ−Ｌ特性データと、に基づいて、前記表示パネルの階調に対する駆動電圧の特性を示すＤ−Ｖ特性データをＲＧＢ各色について算出するステップと、前記ＲＧＢ各色のＤ−Ｖ特性データに基づいて、外部から入力される映像信号に応じた駆動電圧を生成し、前記複数の画素のそれぞれに印加するステップと、を含むことを特徴とする。
【図面の簡単な説明】
【００２５】
【図１】本発明の実施形態１〜６に係る画像表示装置の構成を示す図である。
【図２】本発明の実施形態１に係る信号線制御回路のブロック図である。
【図３】表示パネルにおけるＲＧＢ各色のＶ−Ｌ特性の一例を示す図である。
【図４】表示パネルにおけるＲＧＢＷ各色のＤ−Ｌ特性の一例を示す図である。
【図５Ａ】表示パネルにおけるＲのＤ−Ｖ特性の一例を示す図である。
【図５Ｂ】表示パネルにおけるＧのＤ−Ｖ特性の一例を示す図である。
【図５Ｃ】表示パネルにおけるＢのＤ−Ｖ特性の一例を示す図である。
【図６Ａ】図５Ａに示すＲのＤ−Ｖ特性がレジスタ値によって変化する様子を示す図である。
【図６Ｂ】図５Ｂに示すＲのＤ−Ｖ特性がレジスタ値によって変化する様子を示す図である。
【図６Ｃ】図５Ｃに示すＲのＤ−Ｖ特性がレジスタ値によって変化する様子を示す図である。
【図７】本発明の実施形態２に係る信号線制御回路のブロック図である。
【図８】本発明の実施形態３に係る信号線制御回路のブロック図である。
【図９】本発明の実施形態４に係る信号線制御回路のブロック図である。
【図１０】本発明の実施形態５に係る信号線制御回路のブロック図である。
【図１１】ＡＰＬと最大輝度との関係の一例を示す図である。
【図１２】本発明の実施形態６に係る信号線制御回路のブロック図である。
【発明を実施するための形態】
【００２６】
以下、本発明の実施形態１〜６を図面に基づいて詳細に説明する。これらの実施形態では、画像表示装置が表示パネルとして有機ＥＬパネルを備えるものとする。
【００２７】
図１は、本発明の実施形態１〜６に係る画像表示装置の構成を示す図である。図１に示すように、画像表示装置は、パネル表示部１０を表示領域とする表示パネルと、信号線制御回路１２と、複数のデータ線１４と、走査線制御回路１６と、複数の走査線１８と、タイミングコントローラ２０と、レジスタ２２（図示せず）と、を含んで構成される。
【００２８】
パネル表示部１０は、赤色（Ｒ）画素、緑色（Ｇ）画素、青色（Ｂ）画素を含む複数の画素がマトリクス状に配列された表示パネルの表示領域である。これら複数の画素はそれぞれ、印加される駆動電圧に応じた輝度で発光するＯＬＥＤ素子と、ＯＬＥＤ駆動回路であるＴＦＴと、を含む。このＴＦＴは、ＯＬＥＤ素子のオン・オフを切り替えるスイッチ素子と、階調信号に応じた駆動電圧値を保持するキャパシタと、キャパシタに保持される駆動電圧値に応じた駆動電流をＯＬＥＤ素子に供給する電流ドライブ素子と、を含む。
【００２９】
パネル表示部１０には、横方向（Ｘ方向）に配列された画素に沿って複数の走査線１８が形成されている。各走査線１８は、その走査線１８に沿って配列された画素に含まれるスイッチ素子と接続されており、走査線制御回路１６から供給される点灯・非点灯を決めるオン／オフ電圧を各画素に伝達する。
【００３０】
また、パネル表示部１０には、縦方向（Ｙ方向）に配列された画素に沿って複数のデータ線１４が形成されている。各データ線１４は、そのデータ線１４に沿って配列された画素のスイッチ素子と接続されており、信号線制御回路１２から供給される階調信号に応じた駆動電圧を各画素に伝達する。
【００３１】
タイミングコントローラ２０は、走査線制御回路１６に対して目的の走査線１８を選択するタイミングを指示する制御信号を出力するとともに、信号線制御回路１２に対して目的のデータ線１４を選択するタイミングを指示する制御信号を出力する。また、タイミングコントローラ２０は、信号線制御回路１２に対して映像信号を出力する。
【００３２】
タイミングコントローラ２０からの制御信号に従って、走査線制御回路１６が目的の走査線１８を選択し、その走査線１８と接続された画素に含まれるスイッチ素子がオンになると、その画素のスイッチ素子と接続されたデータ線１４を介して信号線制御回路１２から駆動電圧が供給され、その駆動電圧値がスイッチ素子を介してキャパシタに保存される。そして、キャパシタに保持される電圧値が書き換えられるまで、その電圧値に応じた駆動電流が電流ドライブ素子を介して図示しない電流供給線からＯＬＥＤ素子に供給され、ＯＬＥＤがその駆動電流の大きさに応じた輝度で発光する。
【００３３】
レジスタ２２は、表示パネルの表示属性を設定するための表示設定値を記憶する。これらの表示設定値は、ユーザによる設定や使用環境の変化などにより随時変更される。なお、実施形態１〜６では、レジスタ２２が、少なくともガンマ値、最大輝度、最小輝度、白色の色温度（色度）、およびＲＧＢ各色の色度を表示設定値として記憶するものとする。
【００３４】
次に、信号線制御回路１２の内部構成を、実施形態１〜６のそれぞれについて詳細に説明する。
【００３５】
［実施形態１］
図２は、本発明の実施形態１に係る信号線制御回路１２Ａのブロック図である。図２に示すように、信号線制御回路１２Ａは、記憶部２４、Ｄ−Ｌ算出部２６、Ｄ−Ｖ算出部２８、およびＤＡＣ３０を含む。
【００３６】
記憶部２４は、たとえば半導体メモリ素子で構成され、予め測定された表示パネルの駆動電圧（ソースドライバ出力）に対する輝度の特性（Ｖ−Ｌ特性）を示すＶ−Ｌ特性データを記憶する。Ｖ−Ｌ特性は、画像表示装置の製造時または出荷時に、表示パネルごと、ロットごとに測定され、測定で取得されたデータが記憶部２４に書き込まれる。本実施形態では、記憶部２４が、赤色のＶ−Ｌ特性を示すＶ−ＬテーブルＲと、緑色のＶ−Ｌ特性を示すＶ−ＬテーブルＧと、青色のＶ−Ｌ特性を示すＶ−ＬテーブルＢと、をＲＧＢ各色のＶ−Ｌ特性データとして記憶している（図３参照）。
【００３７】
なお、記憶部２４は、ルックアップテーブルに代えて、Ｖ−Ｌ特性に近似する数式およびその数式に代入される定数を、Ｖ−Ｌ特性データとして記憶してもよい。たとえば、たとえば、駆動電圧Ｖと輝度Ｌとの関係が２乗特性を有するのであれば、記憶部２４は、次式（１）と、Ｖ−Ｌ特性の測定値を反映した定数α，βと、をＶ−Ｌ特性データとして記憶してもよい。
【００３８】
Ｌ＝α×Ｖ２＋β  ・・・（１）
【００３９】
Ｄ−Ｌ算出部２６は、レジスタ２２に記憶される表示設定値（ガンマ値、最大輝度、最小輝度、白色の色温度、ＲＧＢ各色の色度）に基づいて、表示パネルの階調に対する輝度の特性（Ｄ−Ｌ特性）を示すＤ−Ｌ特性データをＲＧＢ各色について算出する。たとえば、Ｄ−Ｌ算出部２６は、式（２）に基づいて、表示パネルの階調Ｄに対する白色の輝度を示す特性データであるＷ輝度（Ｄ）を算出するとともに、式（３）に基づいて、表示パネルの白色に対するＲＧＢ各色の輝度の比を示すＲＧＢ輝度比Ｒｒａｔｅ，Ｇｒａｔｅ，Ｂｒａｔｅを算出する。ここで、γはガンマ値、Ｘ，Ｙ，ＺはＷＲＧＢ各色の色度（３刺激値）である。
【００４０】
Ｗ輝度（Ｄ）＝最大輝度×（Ｄ／２５５）γ＋最小輝度  ・・・（２）
【００４１】
【数１】
2012093590.tif 000003
・・・（３）
そして、Ｄ−Ｌ算出部２６は、式（２）で算出されたＷ輝度（Ｄ）と、式（３）で算出されたＲｒａｔｅ，Ｇｒａｔｅ，Ｂｒａｔｅと、に基づいて、階調Ｄに対するＲＧＢ各色の輝度を示すＤ−Ｌ特性データであるＲ輝度（Ｄ）、Ｇ輝度（Ｄ）、Ｂ輝度（Ｄ）を算出する（図４参照）。具体的には、Ｗ輝度（Ｄ）にＲｒａｔｅを乗算すればＲ輝度（Ｄ）が得られ、Ｗ輝度（Ｄ）にＧｒａｔｅを乗算すればＧ輝度（Ｄ）が得られ、Ｗ輝度（Ｄ）にＢｒａｔｅを乗算すればＢ輝度（Ｄ）が得られる。なお、Ｗ輝度（Ｄ）と、Ｒ輝度（Ｄ）、Ｇ輝度（Ｄ）、Ｂ輝度（Ｄ）と、の間には式（４）の関係が成り立つ。
【００４２】
Ｗ輝度（Ｄ）＝Ｒ輝度（Ｄ）＋Ｇ輝度（Ｄ）＋Ｂ輝度（Ｄ）  ・・・（４）
【００４３】
もちろん、Ｄ−Ｌ算出部２６は、式（２）に限らず、他の方法でＷ輝度（Ｄ）を算出してもよい。たとえば、次式（５）によりＷ輝度（Ｄ）を算出してもよく、この場合、レジスタ２２には式（５）でＷ輝度（Ｄ）を算出するために必要となるパラメータを表示設定値として記憶させておけばよい。ここで、ｆは、Ｗ輝度（Ｄ）とガンマ値γと階調Ｄとの関係を定義した所定の関数である。
【００４４】
Ｗ輝度（Ｄ）＝ｆ（γ，Ｄ）  ・・・（５）
【００４５】
同様に、Ｄ−Ｌ算出部２６は、式（３）によらず、他の方法でＲＧＢ輝度比を取得してもよい。たとえば、予めレジスタ２２にＲＧＢ輝度比Ｒｒａｔｅ，Ｇｒａｔｅ，Ｂｒａｔｅを表示設定値として記憶させておき、Ｄ−Ｌ算出部２６が、レジスタ２２に記憶されたＲＧＢ輝度比Ｒｒａｔｅ，Ｇｒａｔｅ，Ｂｒａｔｅをそのまま読み出してもよい。
【００４６】
また、予めレジスタ２２にＲＧＢ各色のＤ−Ｌ特性データであるＲ輝度（Ｄ）、Ｇ輝度（Ｄ）、Ｂ輝度（Ｄ）を表示設定値として記憶させておき、Ｄ−Ｌ算出部２６が、レジスタ２２に記憶されたＲ輝度（Ｄ）、Ｇ輝度（Ｄ）、Ｂ輝度（Ｄ）をそのまま読み出すようにしてもよい。
【００４７】
なお、ユーザによる設定や使用環境の変化などによりレジスタ２２に記憶される表示設定値が変更された場合、Ｄ−Ｌ算出部２６は、表示設定値のいずれかが変更されたタイミングで、ＲＧＢ各色のＤ−Ｌ特性データを再算出することが好ましい。
【００４８】
Ｄ−Ｖ算出部２８は、記憶部２４により記憶されるＲＧＢ各色のＶ−Ｌ特性データであるＶ−ＬテーブルＲ、Ｖ−ＬテーブルＧ、Ｖ−ＬテーブルＢ（図３参照）と、Ｄ−Ｌ算出部２６により算出されるＲＧＢ各色のＤ−Ｌ特性データであるＲ輝度（Ｄ）、Ｇ輝度（Ｄ）、Ｂ輝度（Ｄ）（図４参照）と、に基づいて、表示パネルの階調Ｄに対する駆動電圧Ｖの特性を示すＤ−Ｖ特性データをＲＧＢ各色について算出する（図５Ａ〜図５Ｃ参照）。ここで、Ｄ−Ｖ算出部２８は、ＲＧＢ各色のＶ−Ｌ特性データおよびＲＧＢ各色のＤ−Ｌ特性データを適宜補間して用いてもよい。そして、Ｄ−Ｖ算出部２８は、算出されたＲＧＢ各色のＤ−Ｖ特性データを、ＤＡＣ３０のＤＡＣ設定レジスタ３２に設定する。
【００４９】
ＤＡＣ３０は、ＤＡＣ設定レジスタ３２を含み、ＤＡＣ設定レジスタ３２に設定された内容に従って動作する駆動電圧生成手段である。具体的には、ＤＡＣ３０は、ＤＡＣ設定レジスタ３２に設定されたＲＧＢ各色のＤ−Ｖ特性データに基づいて、タイミングコントローラ２０から入力されるデジタルの映像信号（階調信号）Ｄに応じたアナログの駆動電圧を生成し、複数のデータ線１４を介してパネル表示部１０に配列された複数の画素（Ｒ画素、Ｇ画素、Ｂ画素）のそれぞれに印加する。
【００５０】
上記のとおり、レジスタ２２に記憶される表示設定値は、ユーザによる設定や使用環境の変化などにより随時変更される。表示設定値のいずれかが変更されると、それに伴ってＤ−Ｌ算出部２６により算出されるＲＧＢ各色のＤ−Ｌ特性データが変化するため、Ｄ−Ｖ算出部２８により算出されるＲＧＢ各色のＤ−Ｖ特性データも変化する（図６Ａ〜図６Ｃ参照）。また、Ｄ−Ｖ算出部２８により算出されるＲＧＢ各色のＤ−Ｖ特性データには、記憶部２４に記憶される予め測定された表示パネルのＶ−Ｌ特性データが反映されている。
【００５１】
このため、本実施形態によれば、表示パネルごとの特性ばらつきを抑制しながら、表示パネルのＤ−Ｖ特性を動的に制御することができる。たとえば、レジスタ２２に記憶される表示設定値のうち最大輝度を調整することにより、表示パネルのＤ−Ｖ特性を動的に制御することが可能となるため、従来ＰＷＭ（Pulse Width Modulation）が一般的であったＯＬＥＤ表示パネルの輝度調整に、ＰＡＭ（Pulse Amplitude Modulation）を適用することができる。これにより、ＯＬＥＤ素子の発光時間を長く取ることや低輝度時にＯＬＥＤ素子のピーク電流を下げることが可能になり、回路負荷を低減することができるようになる。
【００５２】
［実施形態２］
図７は、本発明の実施形態２に係る信号線制御回路１２Ｂのブロック図である。図７に示すように、信号線制御回路１２Ｂは、記憶部２４、Ｄ−Ｌ算出部２６、Ｄ−Ｖ算出部２８、ＤＡＣ３０、および乗算器３４を含む。
【００５３】
信号制御回路１２Ｂは、実施形態１に係る信号制御回路１２Ａと比較して、ＲＧＢ各色のＶ−Ｌ特性データを取得する部分の構成が異なっている。具体的には、レジスタ２２の記憶内容、記憶部２４の記憶内容、および乗算器３４が追加されている点が、信号制御回路１２Ａと異なる。
【００５４】
本実施形態では、記憶部２４が、予め測定された表示パネルの駆動電圧に対する白色の輝度の特性を示すＶ−Ｌ特性データＷだけを、その表示パネルのＶ−Ｌ特性データとして記憶している。また、レジスタ２２が、表示パネルの白色に対するＲＧＢ各色の輝度の比を示すＲＧＢ輝度比Ｒｒａｔｅ，Ｇｒａｔｅ，Ｂｒａｔｅを表示設定値として記憶している。このＲＧＢ輝度比は、たとえば出荷検査時のＲＧＢ各色の色度データや所望の色温度より表示パネル外部で算出して設定される。なお、所望の色温度が複数存在する場合はレジスタ２２にそれら複数を設定してもよいし、階調により輝度比が変わるのであれば階調ごとのデータを設定してもよい。
【００５５】
乗算器３４は、記憶部２４に記憶されるＶ−Ｌ特性データＷと、レジスタ２２に記憶されるＲＧＢ輝度比Ｒｒａｔｅ，Ｇｒａｔｅ，Ｂｒａｔｅと、をそれぞれ乗算する。ここで、Ｖ−Ｌ特性データＷにＲｒａｔｅを乗算すれば赤色のＶ−Ｌ特性を示すＶ−ＬテーブルＲが得られ、Ｖ−Ｌ特性データＷにＧｒａｔｅを乗算すれば緑色のＶ−Ｌ特性を示すＶ−ＬテーブルＧが得られ、Ｖ−Ｌ特性データＷにＢｒａｔｅを乗算すれば青色のＶ−Ｌ特性を示すＶ−ＬテーブルＢが得られる（図３参照）。そして、乗算器３４は、こうして得られたＲＧＢ各色のＶ−Ｌ特性データをＤ−Ｖ算出部２８に出力する。
【００５６】
Ｄ−Ｖ算出部２８は、乗算器３４から入力されるＲＧＢ各色のＶ−Ｌ特性データであるＶ−ＬテーブルＲ、Ｖ−ＬテーブルＧ、Ｖ−ＬテーブルＢ（図３参照）と、Ｄ−Ｌ算出部２６により算出されるＲＧＢ各色のＤ−Ｌ特性データであるＲ輝度（Ｄ）、Ｇ輝度（Ｄ）、Ｂ輝度（Ｄ）（図４参照）と、に基づいて、ＲＧＢ各色のＤ−Ｖ特性データを算出する（図５Ａ〜図５Ｃ参照）。これ以降の構成は、実施形態１と同様である。
【００５７】
また、実施形態１と同様、レジスタ２２に記憶される表示設定値は、ユーザによる設定や使用環境の変化などにより随時変更される。表示設定値のいずれかが変更されると、それに伴ってＤ−Ｌ算出部２６により算出されるＲＧＢ各色のＤ−Ｌ特性データが変化するため、Ｄ−Ｖ算出部２８により算出されるＲＧＢ各色のＤ−Ｖ特性データも変化する（図６Ａ〜図６Ｃ参照）。また、Ｄ−Ｖ算出部２８により算出されるＲＧＢ各色のＤ−Ｖ特性データには、記憶部２４に記憶される予め測定された表示パネルのＶ−Ｌ特性データが反映されている。
【００５８】
このため、本実施形態によっても、実施形態１と同様、表示パネルごとの特性ばらつきを抑制しながら、表示パネルのＤ−Ｖ特性を動的に制御することができる。
【００５９】
［実施形態３］
図８は、本発明の実施形態３に係る信号線制御回路１２Ｃのブロック図である。図８に示すように、信号線制御回路１２Ｃは、記憶部２４、Ｄ−Ｌ算出部２６、Ｄ−Ｖ算出部２８、ＤＡＣ３０、乗算器３４，３８、および劣化量算出部３６を含む。
【００６０】
信号制御回路１２Ｃは、実施形態２に係る信号制御回路１２Ｂと比較して、ＲＧＢ各色のＶ−Ｌ特性データを取得する部分の構成が異なっている。具体的には、劣化量算出部３６および乗算器３８が追加されている点が、信号制御回路１２Ｂと異なる。
【００６１】
劣化量算出部３６は、表示パネルにおけるＲＧＢ各色の輝度劣化量を算出する。経時劣化は、駆動電流（輝度）の時間積にほぼ比例する。そこで、劣化量算出部３６は、映像信号と表示パネルの駆動時間との積に基づいて、ＲＧＢ各色の輝度劣化量を算出してもよい。
【００６２】
たとえば、劣化量算出部３６は、次式（６）（７）（８）に示すように、映像信号Ｄとガンマ値γを用いて各フレームのＲＧＢ輝度の総和を求め、それを毎フレームごと加算することにより、ＲＧＢ各色の輝度劣化量である劣化量Ｒ、劣化量Ｇ、劣化量Ｂを算出することができる。
【００６３】
劣化量Ｒ（Ｔ＋１）＝劣化量Ｒ（Ｔ）＋∫全Ｒ画素  最大Ｒ輝度×（Ｄ（Ｔ）／２５５）γ  ・・・（６）
【００６４】
劣化量Ｇ（Ｔ＋１）＝劣化量Ｇ（Ｔ）＋∫全Ｇ画素  最大Ｇ輝度×（Ｄ（Ｔ）／２５５）γ  ・・・（７）
【００６５】
劣化量Ｂ（Ｔ＋１）＝劣化量Ｂ（Ｔ）＋∫全Ｂ画素  最大Ｂ輝度×（Ｄ（Ｔ）／２５５）γ  ・・・（８）
また、劣化量算出部３６は、式（６）（７）（８）により算出される劣化量Ｒ、劣化量Ｇ、劣化量Ｂに、輝度劣化の比例係数パラメータα１，α２，α３をそれぞれ乗じたものを、ＲＧＢ各色の輝度劣化量としてもよい。また、表示パネルの駆動時間としては、表示パネルの点灯時間または画像表示装置の電源オン時間を用いることができる。
【００６６】
なお、ＲＧＢ各色の輝度劣化量は、上記にかかわらず、ＯＬＥＤ素子やＴＦＴの劣化特性に合わせて算出してもよい。たとえば、変形例として、映像信号を考慮しない演算、通常のタイムカウンターのみを用いる演算なども考えられる。
【００６７】
乗算器３８は、劣化量算出部３６により算出されるＲＧＢ各色の輝度劣化量に基づいて、乗算器３４から入力されるＲＧＢ各色のＶ−Ｌ特性データを補正する。具体的には、乗算器３４から入力されるＲＧＢ各色のＶ−Ｌ特性データに、劣化量算出部３６により算出されるＲＧＢ各色の輝度劣化量をそれぞれ乗算する。そして、乗算器３８は、こうして補正されたＲＧＢ各色のＶ−Ｌ特性データをＤ−Ｖ算出部２８に出力する。
【００６８】
Ｄ−Ｖ算出部２８は、乗算器３８から入力される補正後のＲＧＢ各色のＶ−Ｌ特性データであるＶ−ＬテーブルＲ、Ｖ−ＬテーブルＧ、Ｖ−ＬテーブルＢと、Ｄ−Ｌ算出部２６により算出されるＲＧＢ各色のＤ−Ｌ特性データであるＲ輝度（Ｄ）、Ｇ輝度（Ｄ）、Ｂ輝度（Ｄ）と、に基づいて、ＲＧＢ各色のＤ−Ｖ特性データを算出する。これ以降の構成は、実施形態１，２と同様である。
【００６９】
また、実施形態１，２と同様、レジスタ２２に記憶される表示設定値は、ユーザによる設定や使用環境の変化などにより随時変更される。表示設定値が変更されると、それに伴ってＤ−Ｌ算出部２６により算出されるＲＧＢ各色のＤ−Ｌ特性データが変化するため、Ｄ−Ｖ算出部２８により算出されるＲＧＢ各色のＤ−Ｖ特性データも変化する。また、Ｄ−Ｖ算出部２８により算出されるＲＧＢ各色のＤ−Ｖ特性データには、記憶部２４に記憶される予め測定された表示パネルのＶ−Ｌ特性データが反映されている。
【００７０】
このため、本実施形態によっても、実施形態１，２と同様、表示パネルごとの特性ばらつきを抑制しながら、表示パネルのＤ−Ｖ特性を動的に制御することができる。さらに、本実施形態によれば、動的に制御される表示パネルのＤ−Ｖ特性に表示パネルの輝度劣化量を反映させることができる。
【００７１】
なお、本実施形態では、乗算によりＲＧＢ各色のＶ−Ｌ特性データを補正する手法を説明したが、補正の手法はもちろん乗算だけに限らない。また、表示パネルの輝度劣化量に基づいてＲＧＢ各色のＶ−Ｌ特性データを補正する手法は、実施形態１ほかの実施形態に適用してもよい。
【００７２】
［実施形態４］
図９は、本発明の実施形態４に係る信号線制御回路１２Ｄのブロック図である。図９に示すように、信号線制御回路１２Ｄは、記憶部２４、Ｄ−Ｌ算出部２６、Ｄ−Ｖ算出部２８、ＤＡＣ３０、乗算器３４、温度検出器４０、および温度データ算出部４２を含む。
【００７３】
信号制御回路１２Ｄは、実施形態２に係る信号制御回路１２Ｂと比較して、ＲＧＢ各色のＶ−Ｌ特性データを取得する部分の構成が異なっている。具体的には、温度検出器４０および温度データ算出部４２が追加されている点が、信号制御回路１２Ｂと異なる。
【００７４】
表示パネルのＶ−Ｌ特性には、温度依存性がある。そこで、本実施形態では、周囲温度を検出し、表示パネルのＶ−Ｌ特性データを補正する。
【００７５】
温度検出器４０は、表示パネル外部もしくは表示パネルに接触する位置に配置され、表示パネルの周囲温度を検出する。温度検出器４０には、サーミスタ、熱電対、測温抵抗体などを用いることができる。
【００７６】
温度データ算出部４２は、温度検出器４０により検出される周囲温度に基づいて、乗算器３４から入力されるＲＧＢ各色のＶ−Ｌ特性データを補正する。たとえば、表示パネルのＶ−Ｌ特性がその周囲温度Ｔに対してほぼ比例し、乗算器３４から入力されるＲＧＢ各色のＶ−Ｌ特性データが温度Ｔ０におけるデータであれば、温度データ算出部４２は、次式（９）に従ってＲＧＢ各色のＶ−Ｌ特性データを補正してもよい。
【００７７】
Ｌ（Ｖ，Ｔ）＝Ｌ（Ｖ，Ｔ０）×Ｔ／Ｔ０  ・・・（９）
【００７８】
Ｄ−Ｖ算出部２８は、温度データ算出部４２で補正されたＲＧＢ各色のＶ−Ｌ特性データであるＶ−ＬテーブルＲ、Ｖ−ＬテーブルＧ、Ｖ−ＬテーブルＢと、Ｄ−Ｌ算出部２６により算出されるＲＧＢ各色のＤ−Ｌ特性データであるＲ輝度（Ｄ）、Ｇ輝度（Ｄ）、Ｂ輝度（Ｄ）と、に基づいて、ＲＧＢ各色のＤ−Ｖ特性データを算出する。これ以降の構成は、実施形態１〜３と同様である。
【００７９】
また、実施形態１〜３と同様、レジスタ２２に記憶される表示設定値は、ユーザによる設定や使用環境の変化などにより随時変更される。表示設定値が変更されると、それに伴ってＤ−Ｌ算出部２６により算出されるＲＧＢ各色のＤ−Ｌ特性データが変化するため、Ｄ−Ｖ算出部２８により算出されるＲＧＢ各色のＤ−Ｖ特性データも変化する。また、Ｄ−Ｖ算出部２８により算出されるＲＧＢ各色のＤ−Ｖ特性データには、記憶部２４に記憶される予め測定された表示パネルのＶ−Ｌ特性データが反映されている。
【００８０】
このため、本実施形態によっても、実施形態１〜３と同様、表示パネルごとの特性ばらつきを抑制しながら、表示パネルのＤ−Ｖ特性を動的に制御することができる。さらに、本発明によれば、動的に制御される表示パネルのＤ−Ｖ特性に表示パネルの温度依存性を反映させることができる。
【００８１】
なお、表示パネルの周囲温度に基づいてＲＧＢ各色のＶ−Ｌ特性データを補正する手法は、実施形態１ほかの実施形態に適用してもよい。
【００８２】
［実施形態５］
図１０は、本発明の実施形態５に係る信号線制御回路１２Ｅのブロック図である。図１０に示すように、信号線制御回路１２Ｅは、記憶部２４、Ｄ−Ｌ算出部２６、Ｄ−Ｖ算出部２８、ＤＡＣ３０、乗算器３４、およびＡＰＬ（Average Picture Level：平均映像レベル）算出部４４を含む。
【００８３】
信号制御回路１２Ｅは、実施形態２に係る信号制御回路１２Ｂと比較して、レジスタ２２に記憶される表示設定値を更新する構成、すなわちＡＰＬ算出部４４が追加されている。
【００８４】
ＡＰＬ算出部４４は、所定フレーム当たりの映像の明るさを示すＡＰＬを算出する。たとえば、ＡＰＬ算出部４４は、次式（１０）または（１１）に従って、１フレームの映像の明るさを示すＡＰＬを算出する。
【００８５】
ＡＰＬ＝∫１フレーム全画素の映像信号  ・・・（１０）
【００８６】
ＡＰＬ＝∫全画素、１フレーム  （Ｄ／２５５）γ  ・・・（１１）
なお、上式（１０）（１１）は１フレームについて算出する方法だが、複数フレームの総和をＡＰＬとしてもよい。
【００８７】
そして、ＡＰＬ算出部４４は、算出されたＡＰＬに応じて、レジスタ２２に記憶される最大輝度を更新する。たとえば、ＡＰＬ算出部４４は、算出されたＡＰＬと、図１１に示すＡＰＬと最大輝度との関係と、に基づいて、最大輝度の制御を行う。なお、図１１に示すように、ＡＰＬが大きいときには最大輝度を落とす制御を行うことが望ましい。こうすれば、明るい映像のときの消費電力増大を抑制することができる。
【００８８】
ＡＰＬ算出部４４によってレジスタ２２に記憶される最大輝度が更新されると、Ｄ−Ｌ算出部２６は、ＲＧＢ各色のＤ−Ｌ特性データを再算出する。
【００８９】
Ｄ−Ｖ算出部２８は、乗算器３４から入力されるＲＧＢ各色のＶ−Ｌ特性データであるＶ−ＬテーブルＲ、Ｖ−ＬテーブルＧ、Ｖ−ＬテーブルＢと、Ｄ−Ｌ算出部２６により算出されるＲＧＢ各色のＤ−Ｌ特性データであるＲ輝度（Ｄ）、Ｇ輝度（Ｄ）、Ｂ輝度（Ｄ）と、に基づいて、ＲＧＢ各色のＤ−Ｖ特性データを算出する。これ以降の構成は、実施形態１〜４と同様である。
【００９０】
このように、ＡＰＬに応じてレジスタ２２に記憶される最大輝度が変更されると、それに伴ってＤ−Ｌ算出部２６により算出されるＲＧＢ各色のＤ−Ｌ特性データが変化するため、Ｄ−Ｖ算出部２８により算出されるＲＧＢ各色のＤ−Ｖ特性データも変化する。また、Ｄ−Ｖ算出部２８により算出されるＲＧＢ各色のＤ−Ｖ特性データには、記憶部２４に記憶される予め測定された表示パネルのＶ−Ｌ特性データが反映されている。
【００９１】
このため、本実施形態によれば、表示パネルごとの特性ばらつきを抑制しながら、ＡＰＬの変動に応じて表示パネルのＤ−Ｖ特性を動的に制御することができる。また、ＡＢＬ（Automatic Brightness Limiter：自動明るさ制御）制御をＰＡＭ（Pulse Amplitude Modulation）で行うことができる。
【００９２】
なお、ＡＰＬの変動に応じて表示パネルのＤ−Ｖ特性を動的に制御する手法は、実施形態１ほかの実施形態に適用してもよい。
【００９３】
［実施形態６］
図１２は、本発明の実施形態６に係る信号線制御回路１２Ｆのブロック図である。図１２に示すように、信号線制御回路１２Ｆは、記憶部２４、Ｄ−Ｌ算出部２６、Ｄ−Ｖ算出部２８、ＤＡＣ３０、および乗算器３４，４６を含む。
【００９４】
信号制御回路１２Ｆは、実施形態２に係る信号制御回路１２Ｂと比較して、ＲＧＢ各色のＶ−Ｌ特性データを取得する部分の構成が異なっている。具体的には、タイミングコントローラ２０から発光期間パラメータが出力されている点および乗算器４６が追加されている点が、信号制御回路１２Ｂと異なる。
【００９５】
表示パネルの輝度は、表示パネルの発光期間に比例することから、表示パネルのＶ−Ｌ特性を測定した時の発光期間をＤｕｔｙ０、現在の発光期間をＤｕｔｙとすれば、タイミングコントローラ２０から出力される発光期間パラメータは、次式（１２）で表される。
【００９６】
発光期間パラメータ＝Ｄｕｔｙ／Ｄｕｔｙ０  ・・・（１２）
【００９７】
乗算器４６は、タイミングコントローラ２０から入力される発光期間パラメータに基づいて、乗算器３４から入力されるＲＧＢ各色のＶ−Ｌ特性データを補正する。具体的には、乗算器３４から入力されるＲＧＢ各色のＶ−Ｌ特性データに、タイミングコントローラ２０から入力される発光期間パラメータをそれぞれ乗算する。そして、乗算器４６は、こうして補正されたＲＧＢ各色のＶ−Ｌ特性データをＤ−Ｖ算出部２８に出力する。
【００９８】
Ｄ−Ｖ算出部２８は、乗算器４６から入力される補正後のＲＧＢ各色のＶ−Ｌ特性データであるＶ−ＬテーブルＲ、Ｖ−ＬテーブルＧ、Ｖ−ＬテーブルＢと、Ｄ−Ｌ算出部２６により算出されるＲＧＢ各色のＤ−Ｌ特性データであるＲ輝度（Ｄ）、Ｇ輝度（Ｄ）、Ｂ輝度（Ｄ）と、に基づいて、ＲＧＢ各色のＤ−Ｖ特性データを算出する。これ以降の構成は、実施形態１〜５と同様である。
【００９９】
また、実施形態１〜５と同様、レジスタ２２に記憶される表示設定値は、ユーザによる設定や使用環境の変化などにより随時変更される。表示設定値が変更されると、それに伴ってＤ−Ｌ算出部２６により算出されるＲＧＢ各色のＤ−Ｌ特性データが変化するため、Ｄ−Ｖ算出部２８により算出されるＲＧＢ各色のＤ−Ｖ特性データも変化する。また、Ｄ−Ｖ算出部２８により算出されるＲＧＢ各色のＤ−Ｖ特性データには、記憶部２４に記憶される予め測定された表示パネルのＶ−Ｌ特性データが反映されている。
【０１００】
このため、本実施形態によっても、実施形態１〜５と同様、表示パネルごとの特性ばらつきを抑制しながら、表示パネルのＤ−Ｖ特性を動的に制御することができる。さらに、本実施形態によれば、表示パネルのＶ−Ｌ特性を測定した時の発光期間と現在の発光期間が異なる場合に、予め測定されたＶ−Ｌ特性に基づいて算出される表示パネルのＤ−Ｖ特性を補償することができる。
【０１０１】
なお、表示パネルの発光期間パラメータに基づいてＲＧＢ各色のＶ−Ｌ特性データを補正する手法は、実施形態１ほかの実施形態に適用してもよい。
【０１０２】
［変形例］
なお、本発明は、上記実施形態に限定されるものではなく種々の変形が可能である。また上記実施形態で説明した構成は、実質的に同一の構成、同一の作用効果を奏する構成または同一の目的を達成することができる構成で置き換えることができる。
【０１０３】
たとえば、上記実施形態では、有機ＥＬパネルを備えた画像表示装置に本発明を適用する例を示したが、自発光素子を用いた表示パネルを備えた画像表示装置など、表示パネルごとの特性ばらつきが問題となりやすい画像表示装置全般に適用可能である。
【符号の説明】
【０１０４】
１０  パネル表示部、１２  信号線制御回路、１４  データ線、１６  走査線制御回路、１８  走査線、２０  タイミングコントローラ、２２  レジスタ、２４  記憶部、２６  Ｄ−Ｌ算出部、２８  Ｄ−Ｖ算出部、３０  ＤＡＣ、３２  ＤＡＣ設定レジスタ、３４，３８，４６  乗算器、３６  劣化量算出部、４０  温度検出器、４２  温度データ算出部、４４  ＡＰＬ算出部。
【図１】
2012093590.tif 000004
【図２】
2012093590.tif 000005
【図３】
2012093590.tif 000006
【図４】
2012093590.tif 000007
【図５Ａ】
2012093590.tif 000008
【図５Ｂ】
2012093590.tif 000009
【図５Ｃ】
2012093590.tif 000010
【図６Ａ】
2012093590.tif 000011
【図６Ｂ】
2012093590.tif 000012
【図６Ｃ】
2012093590.tif 000013
【図７】
2012093590.tif 000014
【図８】
2012093590.tif 000015
【図９】
2012093590.tif 000016
【図１０】
2012093590.tif 000017
【図１１】
2012093590.tif 000018
【図１２】
2012093590.tif 000019